(57)【要約】【課題】コンテンツ保有者が、コンテンツ視聴者端末の画面上での自己のコンテンツの表示場所や表示位置、再生順序を自力で確保することを可能とする。【解決手段】コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおいて、コンテンツ保有者の取り分をコンテンツ視聴者へ分配する割合を表す分配率をコンテンツ保有者が設定できるようにしている。コンテンツ視聴者端末のアクセスがあると、広告料に関する値に分配率の値を乗じた視聴者分配値を、各コンテンツについて算定し、各コンテンツの画像と当該コンテンツに対応する視聴者分配値を表す表示とが、当該視聴者分配値をもとにしたプライオリティに従い、画面の異なる座標位置または異なる時間枠に表示されるようにしている。【選択図】  図４
2009028069.tif 000002
【特許請求の範囲】
【請求項１】
コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツの提供制御方法であって、コンピュータに実行させる以下の処理ステップを含むことを特徴とする方法。
（ａ）各コンテンツのコンテンツＩＤと、コンテンツ保有者により設定される、コンテンツ保有者の取り分をコンテンツ視聴者へ分配する割合を表す分配率の値とを含むコンテンツ情報を、コンテンツ情報データベースに登録し、
（ｂ）各広告の広告ＩＤと、広告主または広告代理店により設定される、広告料に関する値とを含む広告情報を、広告情報データベースに登録し、
（ｃ）前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定し、
（ｄ）広告付きのコンテンツを前記コンテンツ視聴者端末の表示部に表示させるための画面情報を、前記算定した視聴者分配値と、前記コンテンツ情報および広告情報をもとに作成し、ここで当該画面情報作成ステップは、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成するものであり、および
（ｅ）前記作成した画面情報を前記コンテンツ視聴者端末に提供する。
【請求項２】
（ｆ）第１の保存領域と第２の保存領域とを有する記憶部を設け、前記コンテンツ情報データベースから分配率の降順に抽出されたコンテンツ情報を前記第１の保存領域に一時保存するとともに、前記広告情報データベースから抽出された広告情報を前記第２の保存領域に一時保存するステップを、さらに含み、
前記画面情報作成ステップ（ｄ）は、前記画面情報として、所定数のコンテンツのサムネイルが前記プライオリティに従いリストされているＷｅｂページを前記コンテンツ視聴者端末の表示部に表示させるための記述を含んでいる画面情報ファイルを作成するものであり、および
前記算定ステップ（ｃ）は、前記Ｗｅｂページの最初の表示、またはＷｅｂページの更新が要求される度に、前記記憶部の第１の保存領域より前記所定数以下の件数の分配率データを取得し、当該取得した各分配率の値に前記記憶部の第２の保存領域より取得した広告料に関する値を乗じて各コンテンツの視聴者分配値を算定すること、
を特徴とする請求項１記載のコンテンツの提供制御方法。
【請求項３】
（ｇ）第１の保存領域と第２の保存領域とを有する記憶部を設け、前記コンテンツ情報データベースから分配率の降順に抽出されたコンテンツ情報を前記第１の保存領域に一時保存するとともに、前記広告情報データベースから抽出された広告料に関する値が最高値の広告情報を前記第２の保存領域に一時保存するステップを、さらに含み、
前記画面情報作成ステップ（ｄ）は、前記画面情報として、所定数のコンテンツのサムネイルが前記プライオリティに従いリストされているＷｅｂページを前記コンテンツ視聴者端末の表示部に表示させるための記述を含んでいる画面情報ファイルを作成するものであり、および
前記算定ステップ（ｃ）は、前記Ｗｅｂページの最初の表示、またはＷｅｂページの更新が要求される度に、前記記憶部の第１の保存領域より前記所定数以下の件数の分配率データを取得し、当該取得した各分配率の値に前記記憶部の第２の保存領域より取得した広告料に関する値を乗じて各コンテンツの視聴者分配値を算定すること、
を特徴とする請求項１記載のコンテンツの提供制御方法。
【請求項４】
（ｈ）記憶部を設け、当該記憶部に前記画面情報の作成に必要な情報を一時保存するステップをさらに含み、
前記画面情報作成ステップ（ｄ）は、前記画面情報として、コンテンツの動画が前記プライオリティに従い再生される再生画面を前記コンテンツ視聴者端末の表示部に表示させるための記述を含んでいる画面情報ファイルを作成するものであり、
前記算定ステップ（ｃ）は、少なくとも最初の再生画面の要求がされたときに、前記コンテンツ情報データベースから分配率の降順に抽出されたコンテンツ情報より分配率データを取得し、当該取得した各分配率の値に、前記広告情報データベースより取得した広告情報の広告料に関する値を乗じて各コンテンツの視聴者分配値を算定し、
当該視聴者分配値と前記コンテンツ情報および広告情報とを対応付けて、視聴者分配値の降順に前記記憶部へ一時保存し、
前記画面情報作成ステップ（ｄ）は、前記記憶部から前記対応付けられた情報を視聴者分配値の降順に取得して前記画面情報ファイルを作成すること、
を特徴とする請求項１記載のコンテンツの提供制御方法。
【請求項５】
（ｈ）記憶部を設け、当該記憶部に前記画面情報の作成に必要な情報を一時保存するステップをさらに含み、
前記画面情報作成ステップ（ｄ）は、前記画面情報として、コンテンツの動画が前記プライオリティに従い再生される再生画面を前記コンテンツ視聴者端末の表示部に表示させるための記述を含んでいる画面情報ファイルを作成するものであり、
前記算定ステップ（ｃ）は、
少なくとも最初の再生画面の要求がされたときに、前記コンテンツ情報データベースから分配率の降順に抽出されたコンテンツ情報より分配率データを取得するとともに、前記広告情報データベースから広告料に関するデータの降順に抽出された広告情報より広告料に関するデータを取得し、
当該取得した分配率データと広告料に関するデータとを降順に対応付けしてこれらの値を乗じて各コンテンツの視聴者分配値を算定し、
当該視聴者分配値と前記コンテンツ情報および広告情報とを対応付けて、視聴者分配値の降順に前記記憶部へ一時保存し、および
前記画面情報作成ステップ（ｄ）は、前記記憶部からその対応付けられた情報を視聴者分配値の降順に取得して前記画面情報ファイルを作成すること、
を特徴とする請求項１記載のコンテンツの提供制御方法。
【請求項６】
コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツ提供制御装置であって、
各コンテンツのコンテンツＩＤと、コンテンツ保有者により設定される、コンテンツ保有者の取り分をコンテンツ視聴者へ分配する割合を表す分配率の値とを含むコンテンツ情報が登録されるコンテンツ情報データベースと、
各広告の広告ＩＤと、広告主または広告代理店により設定される、広告料に関する値とを含む広告情報が登録される広告情報データベースと、
前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定する算定部と、
広告付きのコンテンツを前記コンテンツ視聴者端末の表示部に表示させるための画面情報を、前記算定部により算定した視聴者分配値と、前記コンテンツ情報および広告情報をもとに作成し、前記コンテンツ視聴者端末に提供する画面情報作成部と、
を含み、
前記画面情報作成部は、前記コンテンツ視聴者端末の表示部において、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成すること、
を特徴とするコンテンツの提供制御装置。
【請求項７】
前記コンテンツ提供制御装置は、前記コンテンツ情報データベースから分配率の降順に抽出されたコンテンツ情報が一時保存される第１の保存領域と、前記広告情報データベースから抽出された広告情報が一時保存される第２の保存領域とを有する記憶部を、さらに含み、
前記画面情報作成部は、前記画面情報として、所定数のコンテンツのサムネイルが前記プライオリティに従いリストされているＷｅｂページを前記コンテンツ視聴者端末の表示部に表示させるための記述を含んでいる画面情報ファイルを作成するものであり、および
前記算定部は、前記Ｗｅｂページの最初の表示、またはＷｅｂページの更新が要求される度に、前記記憶部の第１の保存領域より前記所定数以下の件数の分配率データを取得し、当該取得した各分配率の値に前記記憶部の第２の保存領域より取得した広告料に関する値を乗じて各コンテンツの視聴者分配値を算定すること、
を特徴とする請求項６記載のコンテンツの提供制御装置。
【請求項８】
前記コンテンツ提供制御装置は、前記コンテンツ情報データベースから分配率の降順に抽出されたコンテンツ情報が一時保存される第１の保存領域と、前記広告情報データベースから抽出された広告料に関する値が最高値の広告情報が一時保存される第２の保存領域とを有する記憶部を、さらに含み、
前記画面情報作成部は、前記画面情報として、所定数のコンテンツのサムネイルが前記プライオリティに従いリストされているＷｅｂページを前記コンテンツ視聴者端末の表示部に表示させるための記述を含んでいる画面情報ファイルを作成するものであり、および
前記算定部は、前記Ｗｅｂページの最初の表示、またはＷｅｂページの更新が要求される度に、前記記憶部の第１の保存領域より前記所定数以下の件数の分配率データを取得し、当該取得した各分配率の値に前記記憶部の第２の保存領域より取得した広告料に関する値を乗じて各コンテンツの視聴者分配値を算定すること、
を特徴とする請求項６記載のコンテンツの提供制御装置。
【請求項９】
前記コンテンツ提供制御装置は、前記画面情報の作成に必要な情報が一時保存される記憶部をさらに含み、
前記画面情報作成部は、前記画面情報として、コンテンツの動画が前記プライオリティに従い再生される再生画面を前記コンテンツ視聴者端末の表示部に表示させるための記述を含んでいる画面情報ファイルを作成するものであり、
前記算定部は、少なくとも最初の再生画面の要求がされたときに、前記コンテンツ情報データベースから分配率データの降順に抽出された前記コンテンツ情報より分配率データを取得し、当該取得した各分配率の値に、前記広告情報データベースより取得した広告情報の広告料に関する値を乗じて各コンテンツの視聴者分配値を算定し、
当該視聴者分配値と前記コンテンツ情報および広告情報とを対応付けて、視聴者分配値の降順に前記記憶部へ一時保存し、
前記画面情報作成部は、前記記憶部から当該対応付けられた情報を視聴者分配値の降順に取得して前記画面情報ファイルを作成すること、
を特徴とする請求項６記載のコンテンツの提供制御装置。
【請求項１０】
前記コンテンツ提供制御装置は、前記画面情報の作成に必要な情報が一時保存される記憶部をさらに含み、
前記画面情報作成部は、前記画面情報として、コンテンツの動画が前記プライオリティに従い再生される再生画面を前記コンテンツ視聴者端末の表示部に表示させるための記述を含んでいる画面情報ファイルを作成するものであり、
前記算定部は、
少なくとも最初の再生画面の要求がされたときに、前記コンテンツ情報データベースから分配率データの降順に抽出された前記コンテンツ情報より分配率データを取得するとともに、前記広告情報データベースから広告料に関するデータの降順に抽出された前記広告情報より広告料に関するデータを取得し、
当該取得した分配率データと広告料に関するデータとを降順に対応付けしてこれらの値を乗じて各コンテンツの視聴者分配値を算定し、
当該視聴者分配値と前記コンテンツ情報および広告情報とを対応付けて、視聴者分配値の降順に前記記憶部へ一時保存し、および
前記画面情報作成部は、前記記憶部からその対応付けられた情報を視聴者分配値の降順に取得して前記画面情報ファイルを作成すること、
を特徴とする請求項６記載のコンテンツの提供制御装置。
【請求項１１】
コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツの提供制御方法を、コンピュータに実行させるためのプログラムを記録した、コンピュータ読み取り可能な記録媒体であって、当該記録されるプログラムは、コンピュータに実行させる以下の処理ステップを含むことを特徴とする記録媒体。
（ａ）各コンテンツのコンテンツＩＤと、コンテンツ保有者により設定される、コンテンツ保有者の取り分をコンテンツ視聴者へ分配する割合を表す分配率の値とを含むコンテンツ情報を、コンテンツ情報データベースに登録し、
（ｂ）各広告の広告ＩＤと、広告主または広告代理店により設定される、広告料に関する値とを含む広告情報を、広告情報データベースに登録し、
（ｃ）前記コンテンツ視聴者端末のアクセスがあると、前記コンテンツ情報データベースより分配率データを取得するとともに、前記広告情報データベースより前記広告料に関するデータを取得し、広告料に関する値に分配率の値を乗じた視聴者分配値を、各コンテンツについて算定し、
（ｄ）広告付きのコンテンツを前記コンテンツ視聴者端末の表示部に表示させるための画面情報を、前記算定した視聴者分配値と、前記コンテンツ情報および広告情報をもとに作成し、ここで当該画面情報作成ステップは、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成するものであり、および
（ｅ）前記作成した画面情報を前記コンテンツ視聴者端末に提供する。
【請求項１２】
コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツの提供制御のために、コンピュータに実行させる以下の処理ステップを含むことを特徴とするコンテンツの提供制御プログラム。
（ａ）各コンテンツのコンテンツＩＤと、コンテンツ保有者により設定される、コンテンツ保有者の取り分をコンテンツ視聴者へ分配する割合を表す分配率の値とを含むコンテンツ情報を、コンテンツ情報データベースに登録し、
（ｂ）各広告の広告ＩＤと、広告主または広告代理店により設定される、広告料に関する値とを含む広告情報を、広告情報データベースに登録し、
（ｃ）前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定し、
（ｄ）広告付きのコンテンツを前記コンテンツ視聴者端末の表示部に表示させるための画面情報を、前記算定した視聴者分配値と、前記コンテンツ情報および広告情報をもとに作成し、ここで当該画面情報作成ステップは、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成するものであり、および
（ｅ）前記作成した画面情報を前記コンテンツ視聴者端末に提供する。
【請求項１３】
コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツの提供制御システムであって、
コンテンツ保有者がコンテンツをアップロードする際に、当該コンテンツについての、少なくともコンテンツ保有者の取り分をコンテンツ視聴者へ分配する割合を表す分配率の値を含む情報を設定するために、コンテンツ保有者により操作されるコンテンツ保有者端末と、
広告を依頼する際に、当該広告についての、広告料に関する値を含む情報を設定するために、広告主または広告代理店により操作される広告主端末と、
広告付きコンテンツを視聴するために、コンテンツ視聴者により随時操作されるコンテンツ視聴者端末と、
前記コンテンツ保有者端末と、前記広告主端末と、前記コンテンツ視聴者端末とが、ネットワークを介して接続されているコンテンツ提供制御装置と、
を含み、
前記コンテンツ提供制御装置は、
各コンテンツのコンテンツＩＤと、前記コンテンツ保有者により設定される分配率の値とを含むコンテンツ情報が登録されるコンテンツ情報データベースと、
各広告の広告ＩＤと、前記広告主または広告代理店により設定される、広告料に関する値とを含む広告情報が登録される広告情報データベースと、
前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定する算定部と、
広告付きのコンテンツを前記コンテンツ視聴者端末の表示部に表示させるための画面情報を、前記算定部により算定した視聴者分配値と、前記コンテンツ情報および広告情報をもとに作成し、前記コンテンツ視聴者端末に提供する画面情報作成部と、
を含み、
前記画面情報作成部は、前記コンテンツ視聴者端末の表示部において、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成し、
前記コンテンツ視聴者端末は、前記作成される画面情報を受信し、前記コンテンツＩＤおよび広告ＩＤを用いて、各コンテンツの画像と当該コンテンツに対応する視聴者分配値を表す表示を前記コンテンツ視聴者端末の表示部に表示すること、
を特徴とするコンテンツの提供制御システム。
【発明の詳細な説明】
【技術分野】
【０００１】
本発明は、コンテンツの提供制御方法、装置、およびシステムに関し、特に、コンテンツ保有者がネットワークを介してアップロードするコンテンツを、コンテンツ視聴者に広告付きで公開し、広告料の一部をコンテンツ保有者の取り分として分配するコンテンツ共有サービスにおける、コンテンツの提供制御方法、装置、およびシステムに関する。
【背景技術】
【０００２】
コンテンツ保有者がインターネット等のネットワークを介してアップロードする動画、静止画、あるいは音声などのコンテンツを、ユーザすなわちコンテンツ視聴者が再生しあるいは共有することのできる、コンテンツ共有サービスが知られている。かかるサービスは、一般にコンテンツ投稿サイト、コンテンツ共有サイト、あるいは動画投稿サイト（以下、これらを総称して「コンテンツ投稿サイト」という。）という呼ばれるインターネット上の特定のＷｅｂサイトを通じて提供されている（例えば、http://www.youtube.com/、http://jp.youtube.com/のＵＲＬによりそれぞれ特定されるYouTube,  LLCのＷｅｂサイト、日本語Ｗｅｂサイトがある）。【０００３】
コンテンツ投稿サイトでは、膨大な数のコンテンツの中からユーザが所望する特定のコンテンツを探し易いように、所定数のコンテンツのサムネイルが、所定の条件例えばカテゴリー別、新着順、ユーザの評価の高い順等の条件に従いリストされているＷｅｂページが、各種用意されている。例えば、コンテンツを新着順に探したいユーザがいるときに、そのユーザが、コンテンツ投稿サイトに所定のリクエストを送ることにより、コンテンツを新着順にリストしたコンテンツ選択画面のＷｅｂページを、広告とともにユーザ端末に表示させることができる。【０００４】
ところで、従来のコンテンツ共有サービスは、広告主が支払う広告料を収入源として運営されているため、ユーザが無料でコンテンツを視聴できる場合が多いが、それを改良した例として、コンテンツ保有者すなわちコンテンツ投稿者に対して、広告料の一部を分配するサービスの提案がなされている（例えば、特許文献１および特許文献２）。他方で、コンテンツにアクセスしたユーザに対しても、広告主から支払われる広告料の一部を還元するサービスの提案もなされている（例えば、特許文献３）。【０００５】
【特許文献１】特開２００２−９２３４７号公報
【特許文献２】特開２００２−１８３３５４号公報
【特許文献３】特開２００２−３２９１３１号公報
【０００６】
特許文献１が開示するコンテンツの公開方法では、コンテンツ作者はコンテンツを公開することができるだけで、その利用に際して本来発生するはずの著作権使用料が得られないために、コンテンツを作成する意欲が長続きせず、時間の経過とともに登録されるコンテンツの質、量とも低下し、ユーザも減り、広告も付きにくくなってゆくという課題を解決するために、広告主の口座から広告料金を引き出し、その一部をコンテンツ作者の口座に著作権使用料として入金するようにしている。【０００７】
特許文献２が開示するコンテンツ配信方法では、一般ユーザに対して、コンテンツに関する権利に関係する種々の煩わしい処理なしにコンテンツを自由に公開したり閲覧したりすることができるようなコミュニティスペースを提供すること課題として、広告主から入金される広告料の一部をコンテンツ保有者に分配するようにしている。【０００８】
特許文献３が開示するコンテンツ配信方法では、アクセス要求したコンテンツに本来の目的に関わりのない広告が含まれている場合に、広告分の通信料までユーザに負担させると、ユーザの利用が促進されず、サービスが滞るという問題を解決するために、広告料の一部を広告付きコンテンツにアクセスしたユーザに還元するようにしている。【０００９】
特許文献１および２のように広告料の一部をコンテンツ保有者に分配することで、コンテンツ保有者のコンテンツ創作意欲を高め、従来のコンテンツ投稿サイトに投稿されるコンテンツの質および量をともに向上させうるという効果が期待できる。また、特許文献３のようにコンテンツを視聴したユーザに還元するときには、無料視聴による特典（商品との交換価値のあるポイントの獲得等）がサービスの一つの魅力となってユーザ数を増加させ、また、１ユーザあたりのコンテンツ視聴回数を増加させうる等の効果が期待できる。したがって、もしかかる改良されたコンテンツ共有サービスを提供するサイトがあれば、そこでの広告は、従来のコンテンツ投稿サイトでの広告よりも効率的かつ効果的であるとみなされてより多くの広告が集まると予想されるので、結果として、コンテンツ保有者、ユーザ、広告主、およびサービス提供者のいずれにも利益をもたらす可能性がある。
【発明の開示】
【発明が解決しようとする課題】
【００１０】
しかしながら、かかる改良されたサービスにしても、コンテンツ保有者から見たときには、この種のコンテンツ共有サービスが抱えている本質的な問題点を依然として解決できてはいないといえる。すなわち、コンテンツ保有者がコンテンツを多くのユーザに見てもらいたいと期待してそれをアップロードしても、投稿済のそして後から投稿されてくるコンテンツの数が膨大であることから、その膨大なコンテンツの中に埋もれてしまうという問題があった。運良くサービス運用者の目にとまったとか、突飛なタイトルがユーザの興味を惹いたとか、ネット上の噂でその存在が広まった等の事情がない限り、特定のコンテンツが、ユーザの目に触れる機会がより多くなるように特別扱いされることはない。なお、コンテンツ保有者が、コンテンツの投稿の際にコンテンツのタイトルやタグ情報に含めるキーワードを慎重に考えて記入することにより、一部のユーザに検索され易くなるとしても、より多くのユーザに見てもらえるか、それとも埋もれてしまうのかどうかは、結局のところ運に頼らざるを得なかった。【００１１】
そこで、本発明は、コンテンツ保有者が、コンテンツ視聴者端末の画面上での自己のコンテンツの表示場所や表示位置、再生順序を自力で確保することを可能とするコンテンツの提供制御方法、装置、およびシステムを提供することを目的とする。
【課題を解決するための手段】
【００１２】
上記の目的を達成するため、本発明は、コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおいて、コンテンツ保有者の取り分をコンテンツ視聴者へ分配する割合を表す分配率をコンテンツ保有者が設定できるようにし、コンテンツ視聴者端末のアクセスがあると、広告料に関する値に分配率の値を乗じた視聴者分配値を、各コンテンツについて算定し、各コンテンツの画像と当該コンテンツに対応する視聴者分配値を表す表示とが、当該視聴者分配値をもとにしたプライオリティに従い、画面の異なる座標位置または異なる時間枠に表示されるようにしたものである。【００１３】
より具体的には、本発明は、コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツの提供制御方法であって、コンピュータに実行させる以下の処理ステップを含むことを特徴とする。
（ａ）各コンテンツのコンテンツＩＤと、コンテンツ保有者により設定される、コンテンツ保有者の取り分をコンテンツ視聴者へ分配する割合を表す分配率の値とを含むコンテンツ情報を、コンテンツ情報データベースに登録し、
（ｂ）各広告の広告ＩＤと、広告主または広告代理店により設定される、広告料に関する値とを含む広告情報を、広告情報データベースに登録し、
（ｃ）前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定し、
（ｄ）広告付きのコンテンツを前記コンテンツ視聴者端末の表示部に表示させるための画面情報を、前記算定した視聴者分配値と、前記コンテンツ情報および広告情報をもとに作成し、ここで当該画面情報作成ステップは、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成するものであり、および
（ｅ）前記作成した画面情報を前記コンテンツ視聴者端末に提供する。【００１４】
本発明の一つの実施の形態によれば、本発明のコンテンツの提供制御方法は、
（ｆ）第１の保存領域と第２の保存領域とを有する記憶部を設け、前記コンテンツ情報データベースから分配率の降順に抽出されたコンテンツ情報を前記第１の保存領域に一時保存するとともに、前記広告情報データベースから抽出された広告情報を前記第２の保存領域に一時保存するステップを、さらに含み、
前記画面情報作成ステップ（ｄ）は、前記画面情報として、所定数のコンテンツのサムネイルが前記プライオリティに従いリストされているＷｅｂページを前記コンテンツ視聴者端末の表示部に表示させるための記述を含んでいる画面情報ファイルを作成するものであり、および
前記算定ステップ（ｃ）は、前記Ｗｅｂページの最初の表示、またはＷｅｂページの更新が要求される度に、前記記憶部の第１の保存領域より前記所定数以下の件数の分配率データを取得し、当該取得した各分配率の値に前記記憶部の第２の保存領域より取得した広告料に関する値を乗じて各コンテンツの視聴者分配値を算定すること、
を特徴とする。【００１５】
本発明の他の実施の形態によれば、本発明のコンテンツの提供制御方法は、
（ｇ）第１の保存領域と第２の保存領域とを有する記憶部を設け、前記コンテンツ情報データベースから分配率の降順に抽出されたコンテンツ情報を前記第１の保存領域に一時保存するとともに、前記広告情報データベースから抽出された広告料に関する値が最高値の広告情報を前記第２の保存領域に一時保存するステップを、さらに含み、
前記画面情報作成ステップ（ｄ）は、前記画面情報として、所定数のコンテンツのサムネイルが前記プライオリティに従いリストされているＷｅｂページを前記コンテンツ視聴者端末の表示部に表示させるための記述を含んでいる画面情報ファイルを作成するものであり、および
前記算定ステップ（ｃ）は、前記Ｗｅｂページの最初の表示、またはＷｅｂページの更新が要求される度に、前記記憶部の第１の保存領域より前記所定数以下の件数の分配率データを取得し、当該取得した各分配率の値に前記記憶部の第２の保存領域より取得した広告料に関する値を乗じて各コンテンツの視聴者分配値を算定すること、
を特徴とする。【００１６】
本発明の他の実施の形態によれば、本発明のコンテンツの提供制御方法は、
（ｈ）記憶部を設け、当該記憶部に前記画面情報の作成に必要な情報を一時保存するステップをさらに含み、
前記画面情報作成ステップ（ｄ）は、前記画面情報として、コンテンツの動画が前記プライオリティに従い再生される再生画面を前記コンテンツ視聴者端末の表示部に表示させるための記述を含んでいる画面情報ファイルを作成するものであり、
前記算定ステップ（ｃ）は、少なくとも最初の再生画面の要求がされたときに、前記コンテンツ情報データベースから分配率の降順に抽出されたコンテンツ情報より分配率データを取得し、当該取得した各分配率の値に、前記広告情報データベースより取得した広告情報の広告料に関する値を乗じて各コンテンツの視聴者分配値を算定し、
当該視聴者分配値と前記コンテンツ情報および広告情報とを対応付けて、視聴者分配値の降順に前記記憶部へ一時保存し、
前記画面情報作成ステップ（ｄ）は、前記記憶部から前記対応付けられた情報を視聴者分配値の降順に取得して前記画面情報ファイルを作成すること、
を特徴とする。【００１７】
本発明のさらに他の実施の形態によれば、本発明のコンテンツの提供制御方法は、
（ｈ）記憶部を設け、当該記憶部に前記画面情報の作成に必要な情報を一時保存するステップをさらに含み、
前記画面情報作成ステップ（ｄ）は、前記画面情報として、コンテンツの動画が前記プライオリティに従い再生される再生画面を前記コンテンツ視聴者端末の表示部に表示させるための記述を含んでいる画面情報ファイルを作成するものであり、
前記算定ステップ（ｃ）は、
少なくとも最初の再生画面の要求がされたときに、前記コンテンツ情報データベースから分配率の降順に抽出されたコンテンツ情報より分配率データを取得するとともに、前記広告情報データベースから広告料に関するデータの降順に抽出された広告情報より広告料に関するデータを取得し、
当該取得した分配率データと広告料に関するデータとを降順に対応付けしてこれらの値を乗じて各コンテンツの視聴者分配値を算定し、次いで、
当該視聴者分配値と前記コンテンツ情報および広告情報とを対応付けて、視聴者分配値の降順に前記記憶部へ一時保存し、および
前記画面情報作成ステップ（ｄ）は、前記記憶部からその対応付けられた情報を視聴者分配値の降順に取得して前記画面情報ファイルを作成すること、
を特徴とする。【００１８】
さらに、本発明は、コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツ提供制御装置であって、
各コンテンツのコンテンツＩＤと、コンテンツ保有者により設定される、コンテンツ保有者の取り分をコンテンツ視聴者へ分配する割合を表す分配率の値とを含むコンテンツ情報が登録されるコンテンツ情報データベースと、
各広告の広告ＩＤと、広告主または広告代理店により設定される、広告料に関する値とを含む広告情報が登録される広告情報データベースと、
前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定する算定部と、
広告付きのコンテンツを前記コンテンツ視聴者端末の表示部に表示させるための画面情報を、前記算定部により算定した視聴者分配値と、前記コンテンツ情報および広告情報をもとに作成し、前記コンテンツ視聴者端末に提供する画面情報作成部と、
を含み、
前記画面情報作成部は、前記コンテンツ視聴者端末の表示部において、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成すること、
を特徴とする。【００１９】
さらに、本発明は、コンテンツ保有者がコンテンツ保有者端末からネットワークを介してアップロードするコンテンツを、コンテンツ視聴者端末に広告付きで公開し、広告料の一部をコンテンツ保有者の取り分として分配するコンテンツ共有サービスにおける、コンテンツの提供制御システムであって、
コンテンツ保有者がコンテンツをアップロードする際に、当該コンテンツについての、少なくともコンテンツ保有者の取り分をコンテンツ視聴者へ分配する割合を表す分配率の値を含む情報を設定するために、コンテンツ保有者により操作されるコンテンツ保有者端末と、
広告を依頼する際に、当該広告についての、広告料に関する値を含む情報を設定するために、広告主または広告代理店により操作される広告主端末と、
広告付きコンテンツを視聴するために、コンテンツ視聴者により随時操作されるコンテンツ視聴者端末と、
前記コンテンツ保有者端末と、前記広告主端末と、前記コンテンツ視聴者端末とが、ネットワークを介して接続されているコンテンツ提供制御装置と、
を含み、
前記コンテンツ提供制御装置は、
各コンテンツのコンテンツＩＤと、前記コンテンツ保有者により設定される分配率の値とを含むコンテンツ情報が登録されるコンテンツ情報データベースと、
各広告の広告ＩＤと、前記広告主または広告代理店により設定される、広告料に関する値とを含む広告情報が登録される広告情報データベースと、
前記コンテンツ視聴者端末のアクセスがあると、前記コンテンツ情報データベースより分配率データを取得するとともに、前記広告情報データベースより広告料に関するデータを取得し、広告料に関する値に分配率の値を乗じた視聴者分配値を、各コンテンツについて算定する算定部と、
広告付きのコンテンツを前記コンテンツ視聴者端末の表示部に表示させるための画面情報を、前記算定部により算定した視聴者分配値と、前記コンテンツ情報および広告情報をもとに作成し、前記コンテンツ視聴者端末に提供する画面情報作成部と、
を含み、
前記画面情報作成部は、前記コンテンツ視聴者端末の表示部において、各コンテンツの画像と当該コンテンツに対応する視聴者分配値を表す表示とが、当該視聴者分配値をもとにしたプライオリティに従い、画面の異なる座標位置または異なる時間枠に表示されるように、前記コンテンツＩＤおよび広告ＩＤを組み込んだ画面情報を作成し、
前記コンテンツ視聴者端末は、前記作成される画面情報を受信し、前記コンテンツＩＤおよび広告ＩＤを用いて、各コンテンツの画像と当該コンテンツに対応する視聴者分配値を表す表示を前記コンテンツ視聴者端末の表示部に表示すること、
を特徴とする。
【発明の効果】
【００２０】
本発明によると、広告主が設定する広告料に関する値と、コンテンツ保有者が設定する分配率の値とを乗じた関数値が、各コンテンツについての視聴者分配値として求められる。コンテンツ保有者は、分配率を高く設定すればするほど広告料についての自己の取り分の割合を減らすことになるが、高い視聴者分配値をもとにして、画面上の表示位置や表示時間枠についてより高いプライオリティを確保することができる。換言すれば、本発明によると、コンテンツ保有者は、自己の取り分からコンテンツ視聴者へ分配する割合を所望の値にコントロールすることにより、自己のコンテンツがコンテンツ視聴者の目に触れる機会がどの程度になるかを主体的に設定することが可能となる。【００２１】
今日、様々なサービス業において、商品購入額やサービス利用額に応じたポイントの獲得とそのポイントの還元等の特典を提供することが、もはや一般化してきている。本発明によると、コンテンツ保有者の取り分の一部が自己に分配されるという特典がコンテンツ視聴者に用意されているので、この特典を指向するコンテンツ視聴者であれば、なるべく自己の取り分が大きいコンテンツ、すなわち視聴者分配値が大きいコンテンツを見てより多くの特典を獲得しようと意識して行動するはずである。しかるに、本発明によると、各コンテンツの画像とそのコンテンツに対応する視聴者分配値を表す表示とが、視聴者分配値をもとにしたプライオリティに従い、画面の異なる座標位置または異なる時間枠に表示されるので、自己の取り分の割合を減らしてもコンテンツ視聴者の目に触れる機会を増やしたいというコンテンツ保有者のニーズと、より多くの特典を獲得したいという特典指向型のコンテンツ視聴者のニーズとが、同時に満たされる。結果として、本発明を適用したコンテンツ共有サービスでは、コンテンツ保有者およびコンテンツ視聴者の利用がより促進され、広告主は、そのサービスに広告出稿することで高い広告効率ないし広告効果が得られることになる。【００２２】
１露出（インプレッション）あたりの広告単価と露出回数をもとに広告料が計算される課金モデルを例として、本発明がコンテンツ保有者にもたらす経済的な利点を考える。この課金モデルでは、コンテンツ保有者が収入を増やそうと考えた場合、自己のコンテンツを多くの視聴者に見てもらわなければならない。しかしながら、コンテンツ保有者が広告料に占める自己の取り分を増やすべく分配率を低く設定しても、収入を増やせるとは限らない。視聴者の目に触れる機会が少なすぎて（または期間が短すぎて）、広告の露出回数を増やせないかもしれないからである。本発明によると、コンテンツ保有者が分配率を高く設定すると、広告料に占める自己の取り分の割合が小さいために収入が減る可能性がある。ところが、この設定のときには視聴者分配値が高くなるので、表示のプライオリティも高くなって、そのコンテンツが視聴者の目に触れる機会を増やせることになる。つまり、分配率を高く設定して１露出あたりの自己の取り分を減らしても、表示のプライオリティが高いためにより多くの視聴者にコンテンツを見てもらえる結果、コンテンツ保有者はある程度の収入を確保することが可能となる。【００２３】
上記した本発明の目的および利点並びに他の目的および利点は、以下の実施の形態の説明を通じてより明確に理解される。もっとも、以下に記述する実施の形態は例示であって、本発明はこれらに限定されるものではない。
【図面の簡単な説明】
【００２４】
【図１】本発明を適用したコンテンツ共有システム１の一つの実施の形態についての概略構成を示す図である。
【図２】所定の分配率の場合における、広告単価と、コンテンツ保有者の取り分と、視聴者分配値との関係を説明する図である。
【図３】所定の分配率の場合における、広告単価と、コンテンツ保有者の取り分と、視聴者分配値との関係を、サイト運営者およびサービス提供者それぞれの取り分を加味して説明する図である。
【図４】第１の実施の形態に係るコンテンツ共有システム１の機能的構成を示すブロック図である。
【図５】コンテンツ情報ＤＢ２１３および広告情報ＤＢ２１７のレコードフォーマットの一例を示す図である。
【図６】コンテンツ共有システム１の動作の一例を示すフローチャートである。
【図７】図６のフローチャートの続きを示すフローチャートである。
【図８】図６のステップＳ１０４において実行されるコンテンツ表示プライオリティ制御処理の詳細を示すフローチャートである。
【図９】図６および図７に示すステップＳ１０１からステップＳ１０９までの処理のうち、特にデータベースからの所定の情報の取得と画面表示に注目して描いた概念図である。
【図１０】コンテンツ表示プライオリティ制御処理の別の例を示すフローチャートである。
【図１１】コンテンツ選択画面の他の具体例である。
【図１２】第２の実施の形態に係るコンテンツ共有システム２の機能的構成を示すブロック図である。
【図１３】コンテンツ共有システム２の動作の一例を示すフローチャートである。
【図１４】図１３のステップＳ３０４において実行されるコンテンツ再生プライオリティ制御処理の詳細を示すフローチャートである。
【図１５】コンテンツ再生プライオリティ制御処理の別の例を示すフローチャートである。
【図１６】図１３に示すステップＳ３０１からステップＳ３０６までの処理のうち、特にデータベースからの所定の情報の取得と画面表示に注目して描いた、第１の実施の態様についての図９と同様の概念図である。
【図１７】コンテンツ連続視聴画面１５７の詳しい例を示す図である。
【符号の説明】
【００２５】
１  コンテンツ共有システム
１１  コンテンツ保有者端末
１３  広告主端末
１５  コンテンツ視聴者端末
２０  サービス提供者装置
２１  コンテンツ共有管理サーバ
２３  コンテンツサーバ
２５  広告サーバ
３０  ネットワーク
【発明を実施するための最良の形態】
【００２６】
以下、本発明の好ましい実施の形態を図面に基づき詳しく説明する。
図１は、本発明を適用したコンテンツ共有システム１の一つの実施の形態について、その概略構成を示す図である。図１に示すように、コンテンツ共有システム１は、コンテンツ保有者端末１１、広告主端末１３、コンテンツ視聴者端末１５、およびサービス提供者装置２０を含み、ネットワーク３０を介して互いに接続されている。【００２７】
コンテンツ保有者端末１１は、（以下、単に「保有者端末」という場合がある。）は、デジタルカメラ、ビデオカメラ、携帯電話機その他の機器により記録された動画、音声等の各種コンテンツ、あるいはそうした機器により記録されたデータを編集、加工等して制作されたコンテンツをサービス提供者装置２０にアップロードするための、コンテンツ保有者の自宅等に設置される端末装置であり、具体的にはパーソナルコンピュータ、ＰＤＡ、携帯電話機、通信機能（双方向通信機能）を備えたテレビ受像器及びテレビ放送受信機等の各種機器である。保有者端末１１は、好ましくはＷｅｂページを閲覧可能なＷｅｂブラウザを搭載しており、当該Ｗｅｂブラウザの機能により、Ｗｅｂページの情報を受信して表示部に表示し、また、後述するコンテンツ情報の登録データとコンテンツのデータをサービス提供者装置２０へ転送することができる。なお、本発明において「コンテンツ保有者」とは、コンテンツについての法的権利（典型的には著作権法の下における複製権、公衆送信権等）を有する著作者に厳密に限定することを意味するものではなく、コンテンツの公開ないし共有を希望してコンテンツを投稿ないしアップロードする者を含むと理解される。【００２８】
広告主端末１３は、後述するように、サービス提供者装置２０から視聴者端末１５へ広告付きコンテンツが提供されるサービスにおいて、その広告を依頼する広告主が使用する端末装置であって、パーソナルコンピュータ等であって、好ましくはＷｅｂページを閲覧可能なウェブブラウザを搭載する。なお、広告主端末１３を操作する者は、広告を発注する広告主自身に限定されず、広告製作業務、広告代理業務、広告に係る各種仲介業務を行う業者または個人が、広告主に代わって広告主端末１３を操作することも勿論可能である。本発明において「広告主または広告代理店」（これらを総称して単に「広告主」という場合がある。）とは、これらの者をすべて包含するものと理解される。【００２９】
コンテンツ視聴者端末１５（以下、単に「視聴者端末」という場合がある。）は、各種コンテンツを視聴するユーザの自宅等に設置される端末装置であって、具体的にはパーソナルコンピュータ、ＰＤＡ、携帯電話機、通信機能（双方向通信機能）を備えたテレビ受像器及びテレビ放送受信機等の各種機器である。視聴者端末１５は、好ましくはＷｅｂページを閲覧可能なＷｅｂブラウザを搭載しており、当該Ｗｅｂブラウザの機能により、後述するコンテンツ表示要求画面、コンテンツ選択画面、コンテンツ視聴画面等のＷｅｂページを表示し、また、コンテンツ選択画面上でコンテンツを選択する操作に応じてそのコンテンツのデータをストリーミングまたはダウンロードして再生することができる。【００３０】
なお、ここでは図示しないが、保有者端末１１、広告主端末１３、視聴者端末１５は各々、ＣＰＵ、ＲＯＭまたはハードディスク等の記憶装置、ＲＡＭ、ＵＳＢ（Universal Serial Bus）等のＩ／Ｆ部、通信制御部、キーボードおよびマウス等の入力デバイス、および表示部を含むことができる。各端末が備えるＣＰＵは、記憶装置に格納されているプログラムを読み出し、ＲＡＭが有するワークエリアに展開して実行し、Ｉ／Ｆ部、通信制御部、入力デバイス、および表示部の各部を制御する。【００３１】
サービス提供者装置２０は、コンテンツ共有管理サーバ２１、コンテンツサーバ２３、および広告サーバ２５を含み、これらはネットワーク３０を介して互いに接続されている。
サービス提供装置２０は、コンテンツ保有者が保有者端末１１からネットワーク３０を介してアップロードするコンテンツを、視聴者端末１５に広告付きで公開し、広告料の一部をコンテンツ保有者の取り分として分配するコンテンツ共有サービスを提供する。【００３２】
コンテンツ共有管理サーバ２１（以下、単に「管理サーバ」という場合がある。）は、後述するコンテンツ共有サービスに必要な基本処理を行うサーバであるが、特に、視聴者端末１５のアクセスがあると、後述する視聴者分配値を各コンテンツについて算定する処理、および広告付きのコンテンツを視聴者端末１５の表示部に表示させるための画面情報ファイル、具体的にはＷｅｂページのファイルを作成して視聴者端末１５へ送信する処理等を行う。【００３３】
コンテンツサーバ２３は、コンテンツ保有者が保有者端末１１を操作してアップロードするコンテンツデータ、具体的にはコンテンツの動画データと対応するサムネイルのデータとを、各コンテンツ固有のコンテンツＩＤと対応付けて蓄積しているサーバである。また、広告サーバ２５は、広告主側から提供される広告データ、具体的には広告用の動画データ、静止画データ、またはテキストデータ等を、各広告の広告ＩＤと対応付けて蓄積しているサーバである。コンテンツサーバ２３および広告サーバ２５は、後述するように、コンテンツＩＤおよび広告ＩＤを組み込んだ画面情報ファイルを受信した視聴者端末１５からこれらＩＤを用いた要求を受けとると、ＩＤに対応するデータをその視聴者端末１５に配信する処理を行う。【００３４】
コンテンツデータは、例えばＭＰＥＧ（Moving Picture Experts Group）、ＡＶＩ（Audio-Video  Interleaved  format）等の各種規格に準拠した動画データファイルとしてコンテンツサーバ２３に格納するのが好ましいが、それらに限定されるものではなく、ＧＩＦ（Graphics  Interchange  Format）、ＪＰＥＧ（Joint  Photographic  Experts  Group）、ＴＩＦＦ（Tagged  Image  File  Format）、ＢＭＰ（bitmap）等の各種規格に準拠した画像データファイル、これらの動画又は画像ファイルに音声データファイルを組み合わせたもの等であっても良い。他方、広告データも、コンテンツデータと同様のデータファイルとして広告サーバ２５に格納することができる。【００３５】
ネットワーク３０は、専用線、公衆電話回線、衛星通信回線等の各種通信回線や図示しない各種サーバ等を含んで構成され、その具体的様態は特に限定されない。また、保有者端末１１、広告主端末１３、視聴者端末１５、管理サーバ２１、コンテンツサーバ２３、および広告サーバ２５とネットワーク３０との間には、ＩＳＰ（Internet  Service  Provider）やＮＳＰ（Network  Service  Provider）、携帯電話事業者等が提供するサーバやファイアーウォール、ゲートウェイ装置等の各種機器が介在する構成としても良いが、ここでは図示しない。ネットワーク３０の典型的な例としては、インターネットが挙げられるが、ＬＡＮ（Local  Area  Network）であっても良いし、その他のネットワークであっても良い。【００３６】
次に、本発明に固有の「分配率」（以下の説明では、明確化するために、用語として「視聴者分配率」を用いる。）および「視聴者分配値」の意義について、図２および図３を参照して説明する。
コンテンツ共有サービスに本発明が適用されるためには、第１に広告料の一部がコンテンツ保有者の取り分として分配されること、第２に当該コンテンツ保有者の取り分の一部がさらにコンテンツ視聴者へ分配されること、の２つの要件を満たす広告料の分配処理が行われるものでなければならない。コンテンツ共有サービスがかかる２つの要件を満たすことを前提に、コンテンツ保有者の取り分をコンテンツ視聴者へ分配する割合を視聴者分配率と定め、広告料に関する値にその視聴者分配率を乗じた値を視聴者分配値と定める。【００３７】
図２は、１露出（インプレッション）あたりの広告単価と視聴回数をもとに広告料が計算される課金モデルの例について、所定の視聴者分配率（ｒ）の場合における、広告単価（ｘ）と、コンテンツ保有者の取り分（ａ）と、視聴者分配値（ｄ）との関係を説明する図である。図２に例として示すように、広告単価（ｘ）がコンテンツ保有者の取り分（ａ）に等しいと仮定すると、視聴者分配値（ｄ）は以下のようにして求められる。
・  視聴者分配値（ｄ）＝広告単価（ｘ）×視聴者分配率（ｒ）
他方、コンテンツ保有者の最終的な取り分（ａ’）は次のようになる。
・  コンテンツ保有者の最終的な取り分（ａ’）＝広告単価（ｘ）−視聴者分配値（ｄ）
あるいは、
・  コンテンツ保有者の最終的な取り分（ａ’）＝広告単価（ｘ）×（１−視聴者分配率（ｒ））【００３８】
例えば、広告単価１０円に対し、視聴者分配率を４０％と設定した場合、１露出あたりの視聴者分配値は４（＝１０×０．４）となる。視聴者は、コンテンツを視聴する度に、そのコンテンツについて付与されているこの視聴者分配値を獲得する。他方、１露出あたりのコンテンツ保有者の最終的な取り分は６円となる。【００３９】
図２に示す例では、広告単価がコンテンツ保有者の取り分に等しいと仮定したが、現実には、広告料の一部を、本サービスの運営主体となるサービス提供者およびメディアの管理を行うサイト運営者にも分配することが多いと考えられる。この場合には、広告単価からサービス提供者の取り分およびサイト運営者の取り分を差し引いた、修正された広告単価を用いて視聴者分配値を算定しても良い。【００４０】
図３は、所定の視聴者分配率（ｒ）の場合における、広告単価（ｘ）と、コンテンツ保有者の取り分（ａ）と、視聴者分配値（ｄ）との関係を、サイト運営者の取り分（ｂ）およびサービス提供者の取り分（ｃ）を加味して説明する図である。この例では、広告単価（ｘ）の内訳がコンテンツ保有者の取り分（ａ）とサイト運営者の取り分（ｂ）とサービス提供者の取り分（ｃ）となるので、視聴者分配値（ｄ）は以下のようにして求められる。
・  視聴者分配値（ｄ）＝（広告単価（ｘ）−サイト運営者の取り分（ｂ）−サービス提供者の取り分（ｃ））×視聴者分配率（ｒ）
他方、コンテンツ保有者の最終的な取り分（ａ’）は次のようになる。
・  コンテンツ保有者の最終的な取り分（ａ’）＝広告単価（ｘ）−サイト運営者の取り分（ｂ）−サービス提供者の取り分（ｃ）−視聴者分配値（ｄ）
あるいは、
・  コンテンツ保有者の最終的な取り分（ａ’）＝（広告単価（ｘ）−サイト運営者の取り分（ｂ）−サービス提供者の取り分（ｃ））×（１−視聴者分配率（ｒ））【００４１】
例えば、広告単価１０円に対し、サイト運営者の取り分を２０％、サービス提供者の取り分を２０％とし、残りのコンテンツ保有者の取り分６０％（６円）に対して、視聴者分配率を４０％と設定した場合、１露出あたりの視聴者分配値は２．４（＝６×０．４）となる。他方、１露出あたりのコンテンツ保有者の最終的な取り分は３．６円となる。【００４２】
本発明における視聴者分配率は、保有者端末１１の操作によりコンテンツ保有者自身がこれを設定することが可能となっている必要があるが、この設定は、コンテンツ保有者が視聴者分配率（例えば４０％）を直接入力する場合のほか、コンテンツ保有者自身の最終的な取り分の割合（例えば６０％）を入力するとその割合から視聴者分配率が自動計算される場合であっても良い。【００４３】
次に、本発明を適用したコンテンツ共有システムの第１の実施の形態を説明する。
図４は、第１の実施の形態に係るコンテンツ共有システム１の機能的構成を示すブロック図である。図４に示した機能ブロックのうち、コンテンツ情報登録・更新部２１１、コンテンツ情報ＤＢ２１３、広告情報登録・更新部２１５、広告情報ＤＢ２１７、コンテンツ表示プライオリティ制御部２１９、ワーキングメモリ２２１、コンテンツ選択画面情報作成部２２３、およびコンテンツ視聴画面情報作成部２２５は、管理サーバ２１に含まれている。【００４４】
管理サーバ２１は、図示しないバスに接続されたプロセッサ及び記憶装置を当然に含む。記憶装置、例えばハードディスク（ＨＤＤ）又はメモリ（ＲＡＭ）には、ＯＳ（Operating  System）、及び後述するプレゼンテーションソフトウェアのプログラム、並びに本発明のコンテンツの提供制御システムにおけるコンテンツ共有サイト側の処理の主要部を管理サーバ２１に実行させるプログラム（以下、「管理サーバプログラム」という場合がある）が格納されており、このプログラムが実行されることによって上記のコンテンツ情報登録・更新部２１１からコンテンツ視聴画面情報作成部２２５を含む各部の動作が制御される。【００４５】
コンテンツ情報登録・更新部２１１は、コンテンツ保有者によってコンテンツがアップロードされる際に、通信制御部（図示せず）およびネットワーク３０を介して接続されている保有者端末１１より受信する、視聴者分配率を含むコンテンツ情報を、コンテンツ情報ＤＢ２１３に登録する。また、コンテンツ情報登録・更新部２１１は、保有者端末１１より受信するコンテンツデータに後述のコンテンツＩＤを付して、通信制御部（図示せず）およびネットワーク３０を介してコンテンツサーバ２３に転送する。【００４６】
同様に、広告情報登録・更新部２１５は、通信制御部（図示せず）およびネットワーク３０を介して接続されている広告主端末１３より受信する、広告料に関する値を含む広告情報を、広告情報ＤＢ２１７に登録する。また、広告情報登録・更新部２１５は、広告主端末１３より受信する広告データに後述の広告ＩＤを付して、通信制御部（図示せず）およびネットワーク３０を介して広告サーバ２５に転送する。【００４７】
図５は、コンテンツ情報ＤＢ２１３および広告情報ＤＢ２１７のレコードフォーマットの一例を示す図である。
コンテンツ情報ＤＢ２１３には、コンテンツＩＤおよびコンテンツ保有者ＩＤに対応付けて、視聴者分配率、タグ情報、投稿日時、再生回数、評価情報、およびＵＲＬ（Uniform  Resource  Locator）が記憶される。コンテンツＩＤは、一回のコンテンツのアップロード毎に必ず付与される識別情報である。例えば一人のコンテンツ保有者が３つのコンテンツをアップロードした場合、アップロード毎に個別のコンテンツＩＤが付される。従って、コンテンツ情報ＤＢ２１３においては、一回のコンテンツのアップロードにつき一つのレコードが作成され、情報が記憶される。なお、再生回数および評価情報は、視聴者によるコンテンツの視聴状況を記録して視聴者の評価によるリスト処理等に供するために特に設けられた項目である。また、ＵＲＬは、アップロードされたコンテンツデータのソース情報、具体的にはアップロードの際に管理サーバ２１からコンテンツサーバ２３に転送されてくるコンテンツの動画データと対応するサムネイルのデータが管理サーバ２１のどこに格納してあるかを表す情報である。【００４８】
次に広告情報ＤＢ２１７には、広告ＩＤおよび広告主ＩＤに対応付けて、広告単価、タグ情報、配信予定回数、配信実績数、およびＵＲＬが記憶される。広告ＩＤは、一つの広告依頼に対して付与される識別情報である。例えば一人の広告主が３つの広告を依頼した場合、依頼ごとに個別の広告ＩＤが付される。従って、広告情報ＤＢ２１７においては、一つの広告依頼につき一つのレコードが作成され、情報が記憶される。なお、配信予定回数および配信実績数は、視聴者による広告の視聴状況を記録して広告配信制御等に供するために特に設けられた項目である。また、ＵＲＬは、広告主から提供された広告データのソース情報、具体的には広告の動画データ、静止画データ、テキストデータ等が、広告サーバ２３のどこに格納してあるかを表す情報である。【００４９】
図４に戻って、コンテンツ表示プライオリティ制御部２１９、ワーキングメモリ２２１、コンテンツ選択画面情報作成部２２３、コンテンツ視聴画面情報作成部２２５の機能を概略説明する。
コンテンツ表示プライオリティ制御部２１９は、視聴者端末１５のアクセスがあると、コンテンツ情報ＤＢ２１３より分配率データを取得するとともに、広告情報ＤＢ２１７より広告料に関するデータを取得し、広告料に関する値に分配率の値を乗じた視聴者分配値を、各コンテンツについて算定する。
コンテンツ選択画面情報作成部２２３は、広告付きのコンテンツを視聴者端末１５の表示部に表示させるための画面情報を、コンテンツ表示プライオリティ制御部２１９が算定した視聴者分配値と、コンテンツ情報および広告情報をもとに作成し、視聴者端末１５に提供する。特に、本実施の形態におけるコンテンツ選択画面情報作成部２２３は、視聴者端末１５の表示部（図示せず）において、各コンテンツのサムネイルとそのコンテンツに対応する視聴者分配値を表す表示とが、その視聴者分配値をもとにしたプライオリティに従い、画面の異なる座標位置に配列表示されるように、コンテンツＩＤおよび広告ＩＤを組み込んだ画面情報を作成する。
コンテンツ視聴画面情報作成部２２５は、コンテンツサーバ２３および広告サーバ２５からそれぞれ受信するコンテンツデータおよび広告データを視聴者端末１５の表示部に再生するための画面情報を作成する。
ワーキングメモリ２２１は、コンテンツ表示プライオリティ制御部２１９がコンテンツ情報ＤＢ２１３および広告情報ＤＢ２１７より取得する情報を一時保存する保存領域を提供する。これらの構成部分における処理の詳細については後述する。【００５０】
コンテンツ選択画面情報作成部２２３およびコンテンツ視聴画面情報作成部２２５が作成する画面情報は、ＨＴＭＬ（HyperText  Markup  Language）、ＸＭＬ（eXtensible  Markup  Language）、ＣｏｍｐａｃｔＨＴＭＬ、ＤＨＴＭＬ（Dynamic  HTML）、ＷＭＬ（Wireless  Markup  Language）、ＨＤＭＬ（Handheld  Device  Markup  Language）等のマークアップ言語及びこれらを拡張した言語により記述したファイルとすることができるが、それらに限定されるものではない。なお、上記の各種規格はあくまで例として示すものであって、本発明の適用範囲には、現在及び将来において、上記以外の規格や上記規格を拡張した規格に準拠したものも当然に含まれる。【００５１】
視聴者端末１５においては、管理サーバ２１にアクセスし、コンテンツ表示要求画面１５１を通じてコンテンツ選択画面１５３の表示を要求することができ、表示されたコンテンツ選択画面１５３を通じてコンテンツ視聴画面１５５の表示を要求することができる。コンテンツ選択画面１５３およびコンテンツ選択画面１５３のレイアウト例は図９および図１１に示されている。【００５２】
視聴履歴ＤＢ１５７は、好ましくは視聴者端末１５に設けられるデータベースであり、視聴者によるコンテンツおよび広告の視聴状況を格納する。管理サーバ２１のコンテンツ情報登録・更新部２１１は、視聴者端末１５でのコンテンツおよび広告の視聴が終了する度に視聴履歴ＤＢ１５７より視聴状況に関する情報を取得し、コンテンツ情報ＤＢ２１３において再生回数および評価情報を更新する。同様にして、広告情報登録・更新部２１５は、視聴履歴ＤＢ１５７より視聴状況に関する情報を取得し、広告情報ＤＢ２１７の配信実績数を更新する。【００５３】
次に、図６、図７、図８を参照し、図４に示すコンテンツ共有システム１の動作を説明する。図６および図７は、コンテンツ共有システム１の動作の一例を示すフローチャートであり、特に、視聴者分配値の降順にコンテンツがリストされているコンテンツ選択画面を視聴者端末に表示させる例を示している。【００５４】
図６を参照して、まず、ステップＳ１０１において、保有者端末１１により、視聴者分配率を含むコンテンツ情報をコンテンツ情報ＤＢ２１３に登録する。このステップは、好ましくは、コンテンツ保有者が保有者端末１１からネットワーク３０を介してコンテンツをアップロードする際に行われる。より具体的に説明すると、まず、コンテンツ保有者が保有者端末１１を操作して管理サーバ２１にアクセスし、コンテンツのアップロードを開始する。所定のアップロード用のフォーム（図示せず）が管理サーバ２１から保有者端末１１に提供され、コンテンツ保有者が保有者端末１１を操作してそのフォームにおいて視聴者分配率を所望の値に設定するとともに、必須のまたは任意の記入欄（例えばコンテンツのタイトル、説明文、カテゴリー等の記入欄）に情報を記入し、さらに投稿するコンテンツデータを添付して管理サーバ２１に送信する。管理サーバ２１のコンテンツ情報登録・更新部２１１は、ネットワーク３０および通信制御部（図示せず）を介して受信した、視聴者分配率を含むコンテンツ情報を、コンテンツ情報ＤＢ２１３に登録する。なお、既に述べたとおり、コンテンツ情報登録・更新部２１１は、受信したコンテンツデータにコンテンツＩＤを付して、通信制御部（図示せず）およびネットワーク３０を介してコンテンツサーバ２３に転送する。これにより、コンテンツサーバ２３には、コンテンツデータがコンテンツＩＤに対応付けて格納される。【００５５】
このステップＳ１０１は、既にアップロード済のコンテンツについて、コンテンツ情報ＤＢ２１３に登録された情報を随時更新する場合も含む。かかる更新指示の場合、登録済の情報を随時上書きするものとする。【００５６】
他方、ステップＳ１０２において、広告主端末１３により、広告単価を含む広告情報を広告情報ＤＢ２１７に登録する。このステップは、好ましくは広告主が広告データを提供する際に行われる。より具体的に説明すると、まず、広告主が広告主端末１３を操作して管理サーバ２１にアクセスし、広告情報の登録を開始する。管理サーバ２１から広告主端末１３に提供される所定の広告主用のフォーム（図示せず）において、広告単価と他の必須または任意の情報を記入欄（例えば広告の説明文、カテゴリー等の記入欄）に記入し、さらに広告データを添付して、管理サーバ２１に送信する。管理サーバ２１の広告情報登録・更新部２１５は、ネットワーク３０および通信制御部（図示せず）を介して受信した、広告単価を含む広告情報を、広告情報ＤＢ２１７に登録する。なお、既に述べたとおり、広告情報登録・更新部２１５は、受信した広告データに広告ＩＤを付して、通信制御部（図示せず）およびネットワーク３０を介して広告サーバ２５に転送する。これにより、広告サーバ２５には、広告データが広告ＩＤに対応付けて格納される。【００５７】
ステップＳ１０２についても、既に登録済の広告について、広告情報ＤＢ２１７に登録された情報を随時更新する場合を含むものとし、かかる更新指示の場合、登録済の情報を随時上書きするものとする。【００５８】
以上のステップＳ１０１およびＳ１０２の処理により、コンテンツ情報およびコンテンツデータ、広告情報および広告データが、コンテンツ視聴者により利用可能となった状態で、次のステップＳ１０３に進み、コンテンツ視聴者が、視聴者端末１５にコンテンツ選択画面を表示させるべく、視聴者端末１５からコンテンツ選択画面の表示要求（新規表示）をコンテンツ表示プライオリティ制御部２１９へ送る。すなわち、コンテンツ視聴者が視聴者端末１５を操作して管理サーバ２１にアクセスし、コンテンツ選択画面の表示要求を管理サーバ２１のコンテンツ表示プライオリティ制御部２１９に送る。【００５９】
ステップＳ１０４において、管理サーバ２１のコンテンツ表示プライオリティ制御部２１９は、コンテンツ選択画面の表示要求に応じて、コンテンツ表示プライオリティ制御処理を実行する。【００６０】
図８はこのステップＳ１０４において実行されるコンテンツ表示プライオリティ制御処理の詳細を示すフローチャートである。
始めに、ステップＳ２０１において、コンテンツ表示プライオリティ制御部２１９は、コンテンツ選択画面の要求が新規表示（リフレッシュすなわち更新表示を含む）の要求かどうかを判定する。
新規表示の要求の場合（ステップＳ２０１：Ｙｅｓ）、ステップＳ２０２に進み、コンテンツ表示プライオリティ制御部２１９は、コンテンツ情報ＤＢ２１３より、コンテンツ情報を視聴者分配率の降順に抽出する。そして、続くステップＳ２０３において、コンテンツ表示プライオリティ制御部２１９は、ステップＳ２０２で抽出したコンテンツ情報を視聴者分配率の降順にワーキングメモリへ一時保存する。ワーキングメモリ２２１には、保存領域［１］および保存領域［２］が用意されており、このうち保存領域［１］へ抽出したコンテンツ情報を一時保存する。【００６１】
次いで、ステップＳ２０４において、コンテンツ表示プライオリティ制御部２１９は、広告情報ＤＢ２１７より、広告情報を１件抽出する。この例において、既に複数の広告情報が広告情報ＤＢに蓄積されているときにどの広告情報を抽出するかは任意であり、例えば広告期間内にある広告の中からランダムに抽出しても良い。【００６２】
続くステップＳ２０５において、コンテンツ表示プライオリティ制御部２１９は、ステップＳ２０４で抽出した広告情報をワーキングメモリの保存領域［２］へ一時保存する。【００６３】
ステップＳ２０６において、コンテンツ表示プライオリティ制御部２１９は、ワーキングメモリの保存領域［１］の先頭から１画面分（１ウィンドウ分）のコンテンツ情報を取出し、コンテンツ毎に視聴者分配値（＝広告単価×視聴者分配率）を算定する。より具体的には、ワーキングメモリの保存領域［１］の先頭からコンテンツ選択画面の１画面分に相当する数（例えば２０個分）のコンテンツに係るコンテンツ情報を取り出し、その１画面分に相当する数の分配率データを取得するとともに、ワーキングメモリの保存領域［２］から１件の広告単価を取得して、前者の値に後者の値を乗じ、上記１画面分に相当する数のコンテンツにそれぞれ対応する視聴者分配値を算定する。なお「１画面分（１ウィンドウ分）」とは、スクロール可能なＷｅｂページであるときは、そのＷｅｂページの１ページ分を意味する。【００６４】
そして、ステップＳ２０７において、コンテンツ表示プライオリティ制御部２１９は、ステップＳ２０６において算定した視聴者分配値の降順に、１画面分に相当する数のコンテンツに係るコンテンツ情報とその視聴者分配値および広告情報をコンテンツ選択画面情報作成部２２３に送り、処理を終了する。【００６５】
以上により、ステップＳ１０４のコンテンツ表示プライオリティ制御処理が終了すると、次のステップＳ１０５において、コンテンツ選択画面情報作成部２２３は、各コンテンツのサムネイルおよび視聴者分配値が、視聴者分配値をもとにしたプライオリティに対応した所定の座標位置に表示されるように、コンテンツ選択画面情報を作成して視聴者端末１５に送る。より具体的には、本実施の形態におけるコンテンツ選択画面情報作成部２２３は、１画面分に相当する数のコンテンツのサムネイルとそのコンテンツの視聴者分配値の値が、視聴者分配値の降順というプライオリティに従い、順に横方向に（Ｚ様に）リストされているＷｅｂページを視聴者端末１５の表示部に表示させるための記述を含んでいる画面情報ファイルを作成する。【００６６】
コンテンツ選択画面情報作成部２２３が作成するこの画面情報ファイルは、基本的にＷｅｂページのレイアウトを規定するデータを含むが、本実施の形態においては、視聴者端末１５がコンテンツ選択画面に表示すべき１画面分の数のサムネイルのデータをコンテンツサーバ２３より正しく受信できるように、そのサムネイルのデータの格納場所を表すＵＲＬをその画面情報ファイルに含めるものとする。このＵＲＬには、サムネイルのデータを識別するために各コンテンツのコンテンツＩＤを組み込むことができる。また、コンテンツ選択画面情報作成部２２３は、コンテンツ選択画面において各コンテンツのサムネイルの近傍に表示されるように、そのコンテンツの視聴者分配値の値をその画面情報ファイルに含めるものとする。さらに、後述するステップＳ１０９において、視聴者端末１５が、コンテンツ視聴画面に表示すべき広告の広告データを広告サーバ２５から正しく受信できるように、広告データを識別するための広告ＩＤをその画面情報ファイルに含めて、あらかじめ視聴者端末１５に送っておく。【００６７】
ステップＳ１０６において、視聴者端末１５は、画面情報ファイルを受信すると、そのファイルに含まれているコンテンツＩＤ（またはコンテンツＩＤを組み込んだＵＲＬ）をもとに、サムネイルのデータをコンテンツサーバ２３より受信し、画面情報ファイルで規定しているコンテンツ視聴画面を視聴者端末１５の表示部に表示させる。このステップは、具体的には、視聴者端末１５のＷｅｂブラウザが受信した画面情報ファイルを解釈し、そこに記述されているＷｅｂプログラム等の指示に従いデータをコンテンツサーバ２３に読みに行くことで、サムネイルのデータを受信し、画面の所定の座標位置に画像を表示することにより行われる。【００６８】
第１の実施の態様によると、コンテンツ選択画面上には、視聴者分配値の降順にリストされた１画面分のコンテンツのサムネイルと、各サムネイルの近傍に表示されたそのコンテンツの視聴者分配値が表示されている。なお、コンテンツ選択画面情報作成部２２３が、各コンテンツの投稿日時、再生回数等の追加情報を画面情報ファイルに含めて視聴者端末１５に送るように構成することも可能であり、これによりコンテンツのサムネイルと一緒に投稿日時と再生回数を表示させることが可能となる。【００６９】
図６のフローチャートの続きを示している図７のフローチャートを参照して、ステップＳ１０７において、コンテンツ選択画面に表示されたコンテンツ情報と視聴者分配値を見たコンテンツ視聴者により、コンテンツの選択操作（例えば、所望とするコンテンツのサムネイルのクリック）がされることに応じて、選択されたコンテンツのコンテンツ情報と広告情報と視聴者分配値とを視聴者端末１５から管理サーバ２１のコンテンツ視聴画面作成部２２５に送る。【００７０】
ステップＳ１０８において、管理サーバ２１のコンテンツ視聴画面作成部２２５は、受信した情報に基づいて、コンテンツ視聴画面情報を作成して視聴者端末１５に送る。コンテンツ視聴画面作成部２２５が作成するコンテンツ視聴画面情報とは、例えば、選択されたコンテンツを広告付きで再生する再生画面を、視聴者端末１５に表示させるための画面情報ファイルである。本実施の形態においては、視聴者端末１５がコンテンツ視聴画面に表示すべきコンテンツのコンテンツデータをコンテンツサーバ２３より正しく受信できるように、そのコンテンツデータの格納場所を表すＵＲＬをその画面情報ファイルに含めるものとし、このＵＲＬにはコンテンツデータを識別するためのコンテンツＩＤを組み込むものとする。加えて、コンテンツ画像の近傍に表示されるように、そのコンテンツの視聴者分配値の値をその画面情報ファイルに含めるものとする。さらに、視聴者端末１５が、コンテンツ視聴画面に表示すべき広告の広告データを広告サーバ２５から正しく受信できるように、広告データを識別するための広告ＩＤをその画面情報ファイルに含めるものとする。【００７１】
続く、ステップＳ１０９において、視聴者端末１５は、画面情報ファイルを受信すると、そのファイルに含まれているコンテンツＩＤ（またはコンテンツＩＤを組み込んだＵＲＬ）をもとに、コンテンツデータをコンテンツサーバ２３より受信し、広告ＩＤ（または広告ＩＤを組み込んだＵＲＬ）をもとに広告データを広告サーバ２５より受信し、コンテンツおよび広告を再生して、視聴者端末１５の表示部に表示させる。この再生動作は、具体的には、視聴者端末１５のＷｅｂブラウザが受信した画面情報ファイルを解釈し、そこに記述されているＷｅｂプログラム等の指示に従い、視聴者端末１５にインストールされているプレイヤアプリケーションを起動させ、プレイヤアプリケーションで再生するデータをコンテンツサーバ２３および広告サーバ２５に読みに行くことで行われる。【００７２】
なお、この例では、ステップＳ１０９において、コンテンツ視聴画面が終了すると、ステップＳ１０４に戻り、コンテンツ視聴後表示の要求を、視聴者端末１５から管理サーバ２１のコンテンツ表示プライオリティ制御部２１９に送るものとしている。この処理の詳細は後述する。
加えて、ステップＳ１０９において、適宜視聴状況データを視聴履歴ＤＢ１５７に送るものとしている。これは、既に述べたとおり、一つには、視聴履歴ＤＢ１５７より視聴状況に関する情報を取得し、コンテンツ情報ＤＢ２１３において再生回数および評価情報を更新するためのものであり、もう一つには、視聴履歴ＤＢ１５７より視聴状況に関する情報を取得し、広告情報ＤＢ２１７の配信実績数を更新するためのものである。【００７３】
再び図８に示すフローチャートを参照し、コンテンツ視聴後表示における動作を説明する。コンテンツ視聴後処理とは、コンテンツ視聴者が新規表示させたコンテンツ選択画面を見て最初の広告付きコンテンツを再生し視聴した後に、その選択画面にリストしていたコンテンツの中から引き続き次の広告付きのコンテンツを選択して再生できるようにするが、その際に別の広告が付されて再生されるようにする処理である。【００７４】
ステップＳ２０１およびステップＳ２１２の判定を経て、コンテンツ選択画面の要求がコンテンツ視聴後表示の場合（ステップＳ２１２：Ｙｅｓ）、ステップＳ２１３に進み、コンテンツ表示プライオリティ制御部２１９は、広告情報ＤＢ２１７より、広告情報を新たに１件抽出する。【００７５】
続くステップＳ２１４において、コンテンツ表示プライオリティ制御部２１９は、ステップＳ２１３で抽出した広告情報をワーキングメモリの保存領域［２］へ上書きして一時保存する。上記ステップＳ２１３およびＳ２１４により、コンテンツ情報と組み合わせられる広告情報が書き換えられることになる。【００７６】
次のステップＳ２１５は、ステップＳ２０６と類似するが、ここでは、コンテンツ表示プライオリティ制御部２１９は、ワーキングメモリの保存領域［１］より、カレント（表示中の１画面分）のコンテンツ情報を取出し、コンテンツ毎に視聴者分配値（＝広告単価×視聴者分配率）を算定する。ここで、視聴者分配率に乗じる広告単価は、ワーキングメモリの保存領域［２］の上記書き換え済の広告情報から取得する。【００７７】
ステップＳ２１５を終了するとステップＳ２０７に進むが、このステップ以降の処理は新規表示のときと同様なので、詳しい説明を省略する。【００７８】
図６、図７および図８に示すフローチャートは、コンテンツ選択画面がページ切替可能に構成されている場合の動作も含んでいるので、ここで簡単に説明する。【００７９】
ステップＳ１０６のコンテンツ視聴画面を視聴者端末１５の表示部に表示させた後に、コンテンツ視聴者が、視聴者端末１５を操作してコンテンツ選択画面に含まれるページ切替機能を選択すると、ステップＳ１０４に戻り、コンテンツ選択画面のうちのページ切替表示の要求を、視聴者端末１５から管理サーバ２１のコンテンツ表示プライオリティ制御部２１９に送る。【００８０】
ステップＳ２０１、ステップＳ２１２、およびステップＳ２２２の判定を経て、コンテンツ選択画面の要求がページ切替表示の場合（ステップＳ２２２：Ｙｅｓ）、ステップＳ２２３に進み、コンテンツ表示プライオリティ制御部２１９は、ワーキングメモリの保存領域［２］より広告情報を取得する。すなわち、ページ切替のときは、新規表示やコンテンツ視聴後表示のときと異なり、広告情報ＤＢ２１７から新たに広告情報を取得することはしない。コンテンツ視聴画面を通じてその広告が未だ再生、視聴されていないからである。【００８１】
続くステップＳ２２４は、ステップＳ２０６、ステップＳ２１５と類似するが、ここでは、コンテンツ表示プライオリティ制御部２１９は、ワーキングメモリの保存領域［１］より、その切替後の１画面分の数のコンテンツに係るコンテンツ情報を取出し、コンテンツ毎に視聴者分配値（＝広告単価×視聴者分配率）を算定する。ここで、新規表示の１ページ目、切替後の２ページ目以降の各画面分に例えば２０個のコンテンツのサムネイルを表示させているときには、２ページ目への切替が要求されたときには、ワーキングメモリの保存領域［１］の先頭から２１件目〜４０件目が取り出されることはいうまでもない。【００８２】
ステップＳ２２４を終了するとステップＳ２０７に進むが、このステップ以降の処理は新規表示のとき、コンテンツ視聴後表示のときと同様なので、詳しい説明を省略する。【００８３】
図９は、ステップＳ１０１からステップＳ１０９までの処理のうち、特にデータベースからの所定の情報の取得と画面表示に注目して描いた概念図である。
コンテンツ情報ＤＢ２１３は、コンテンツ［ａ］、コンテンツ［ｂ］、コンテンツ［ｃ］・・・コンテンツ［ｐ］それぞれについてのコンテンツ情報を格納しており、そのコンテンツ情報には、コンテンツ保有者により設定される視聴者分配率の値９０％、８０％、７０％・・・６％が含まれている。
広告情報ＤＢ２１７は、この例では広告［Ａ］についての広告情報を格納しており、この広告情報には、広告料に関する値として１露出あたりの広告単価１０円が含まれている。【００８４】
コンテンツ表示プライオリティ制御処理（ステップＳ１０４）により、コンテンツ選択画面の１画面分の数（９個）のコンテンツ［ａ］、コンテンツ［ｂ］、コンテンツ［ｃ］・・・コンテンツ［ｉ］について、視聴者分配値の値がそれぞれ９ｐ、８ｐ、７ｐ・・・４ｐ（「ｐ」はポイントの略）と算定される。視聴者端末１５の表示部に表示されるコンテンツ選択画面１５３には、コンテンツのサムネイルと視聴者分配値の値との組みが、視聴者分配値の降順に従い、順に横方向に（Ｚ様に）配列表示されている。【００８５】
ここで、コンテンツ［ａ］のサムネイルを選択すると、コンテンツ視聴画面１５５が視聴者端末１５の表示部に表示され、コンテンツ［ａ］の動画および広告［Ａ］の動画が再生される。なお、視聴画面の道下部には視聴者分配の値「９ｐ」を表示し、これによりコンテンツを視聴して獲得する視聴者分配値がいくらかが視聴者にわかるようにしている。【００８６】
上記した第１の実施の形態では、コンテンツ表示プライオリティ制御処理（ステップＳ１０４）において、図８に示すとおり、広告情報ＤＢに蓄積された広告情報のうち任意の１件の広告情報を抽出することとしているが、図１０に示すようにある一定の基準に従い特定の広告情報を抽出するようにしても良い。【００８７】
図１０は、コンテンツ表示プライオリティ制御処理の別の例を示すフローチャートである。先の図８に示したコンテンツ表示プライオリティ制御処理の例との違いは、新規表示の場合のステップＳ２０４’、およびコンテンツ視聴後表示の場合のステップＳ２１３’において、広告情報ＤＢより広告単価の最も高い広告情報を１件抽出するようにしている点である。【００８８】
本例によると、最高値の広告単価が付けられた広告をコンテンツ視聴画面に表示させることができるので、例えば広告表示のプライオリティを広告単価の入札制により定める広告サービスへ適用すると有利である。加えて、その時点の最も高い広告単価をもとに視聴者分配値が算定されるので、コンテンツ選択画面にリストされる各コンテンツの視聴者分配値を常に高くすることができ、コンテンツ視聴者にとってより多くの特典を獲得し易いサービスを提供できる。【００８９】
以上の第１の実施の形態においては、広告サーバ２５からの広告データの受信と視聴者端末１５による広告の表示が、コンテンツ視聴画面において行われるようにしたが、これに限定されるものではなく、これらがコンテンツ選択画面において行われるようにしても良い。また、コンテンツ選択画面が、視聴者分配値の降順というプライオリティに従い、順に横方向に（Ｚ様に）リストされているＷｅｂページとなる例を説明したが、これに限定されるものではなく、そのプライオリティに従い順に縦一列にリストされている例、および、そのプライオリティに従い、順にコンテンツのサムネイルのサイズを大きいものから小さいものまでとし、画面の異なる座標位置に適宜配置する例等、そのプライオリティが高いほどコンテンツ視聴者の視覚に強く訴えるような各種のサムネイルの表示態様に変更できるものと理解されるべきである。【００９０】
図１１は、コンテンツ選択画面の他の具体例である。図１１（Ａ）に示す例では、コンテンツ選択画面１５３１の右側に広告［Ａ］が表示されるようにしている。図１１（Ｂ）に示す例では、コンテンツ選択画面１５３３の右側に、視聴者分配値の降順というプライオリティに従い、順に縦一列にコンテンツのサムネイルと視聴者分配値の表示がリストされるようにし、右側には広告［Ａ］が表示されるようにしている。【００９１】
次に、本発明を適用したコンテンツ共有システムの第２の実施の形態を説明する。
図１２は、第２の実施の形態に係るコンテンツ共有システム２の機能的構成を示すブロック図であり、図４に示したブロック図と同一構成部分には同一符号を用いている。図１２に示した機能ブロックのうち、コンテンツ情報登録・更新部２１１、コンテンツ情報ＤＢ２１３、広告情報登録・更新部２１５、広告情報ＤＢ２１７、コンテンツ再生プライオリティ制御部２２０、ワーキングメモリ２２２、およびコンテンツ連続視聴画面情報作成部２２４は、管理サーバ２１に含まれている。【００９２】
コンテンツ再生プライオリティ制御部２２０は、視聴者端末１５のアクセスがあると、コンテンツ情報ＤＢ２１３より分配率データを取得するとともに、広告情報ＤＢ２１５より広告料に関するデータを取得し、広告料に関する値に分配率の値を乗じた視聴者分配値を、各コンテンツについて算定する。コンテンツ連続画面情報作成部２２４は、広告付きのコンテンツを視聴者端末１５の表示部に表示させるための画面情報を、コンテンツ再生プライオリティ制御部２２０が算定した視聴者分配値と、コンテンツ情報および広告情報をもとに作成し、視聴者端末１５に提供する。特に、本実施の形態におけるコンテンツ連続画面情報作成部２２４は、視聴者端末１５の表示部（図示せず）において、コンテンツの動画とそのコンテンツに対応する視聴者分配値を表す表示とが、その視聴者分配値をもとにしたプライオリティに従い異なる時間枠に表示されるように、コンテンツＩＤおよび広告ＩＤを組み込んだ画面情報を作成する。ワーキングメモリ２２２は、コンテンツ再生プライオリティ制御部２２０がコンテンツ情報ＤＢ２１３および広告情報ＤＢ２１７より取得する情報と、コンテンツ再生プライオリティ制御部２２０自身で生成する情報とを一時保存する保存領域を提供する。【００９３】
視聴者端末１５においては、管理サーバ２１にアクセスし、コンテンツ要求画面１５２を通じてコンテンツ連続視聴画面１５６の表示を要求することができる。コンテンツ連続視聴画面１５６のレイアウト例は図１６および図１７に示されている。【００９４】
視聴履歴ＤＢ１５７、コンテンツ情報登録・更新部２１１、コンテンツ情報ＤＢ２１３、広告情報登録・更新部２１５、広告情報ＤＢ２１７の機能は、それぞれ第１の実施の形態の対応する構成部分のそれと同様なので説明を省略する。【００９５】
次に、図１３、図１４を参照し、図１２に示すコンテンツ共有システム２の動作を説明する。図１３は、コンテンツ共有システム２の動作の一例を示すフローチャートであり、特に、視聴者分配値の降順にコンテンツが再生されるコンテンツ連続視聴画面を視聴者端末に表示させる例を示している。【００９６】
図１３を参照して、まず、ステップＳ３０１において、保有者端末１１により、視聴者分配率を含むコンテンツ情報をコンテンツ情報ＤＢ２１３に登録する。他方、ステップＳ３０２において、広告主端末１３により、広告単価を含む広告情報を広告情報ＤＢ２１７に登録する。これらのステップは、第１の実施の形態におけるステップＳ１０１、Ｓ１０２と同様である。【００９７】
以上のステップＳ３０１およびＳ３０２の処理により、コンテンツ情報およびコンテンツデータ、広告情報および広告データが、コンテンツ視聴者により利用可能となった状態で、次のステップＳ３０３に進み、コンテンツ視聴者が、視聴者端末１５にコンテンツ連続視聴画面を表示させるべく、視聴者端末１５からコンテンツの連続視聴要求（新規再生）をコンテンツ再生プライオリティ制御部２２０へ送る。すなわち、コンテンツ視聴者が視聴者端末１５を操作して管理サーバ２１にアクセスし、コンテンツを連続視聴する旨の要求を管理サーバ２１のコンテンツ再生プライオリティ制御部２２０に送る。【００９８】
ステップＳ３０４において、管理サーバ２１のコンテンツ再生プライオリティ制御部２２０は、コンテンツ連続視聴の要求に応じて、コンテンツ再生プライオリティ制御処理を実行する。【００９９】
図１４は、このステップＳ３０４において実行されるコンテンツ再生プライオリティ制御処理の詳細を示すフローチャートである。
始めに、ステップＳ４０１において、コンテンツ再生プライオリティ制御部２２０は、コンテンツ連続視聴の要求が新規再生の要求かどうかを判定する。ここで、新規再生とは、視聴者端末１５の表示部に、後述するコンテンツ連続視聴画面を初めて表示させて、広告付きコンテンツを再生することをいう。
新規再生の要求の場合（ステップＳ４０１：Ｙｅｓ）、ステップＳ４０２に進み、コンテンツ再生プライオリティ制御部２２０は、コンテンツ情報ＤＢ２１３より、コンテンツ情報を視聴者分配率の降順に抽出する。ワーキングメモリ２２２には、保存領域［１］〜［３］が用意されており、このうち保存領域［１］へ抽出したコンテンツ情報を一時保存する。【０１００】
次いで、ステップＳ４０３において、コンテンツ再生プライオリティ制御部２２０は、広告情報ＤＢ２１７より、広告情報を抽出する。この例において、既に複数の広告情報が広告情報ＤＢに蓄積されているときにどの広告情報を抽出するかは任意であり、例えば広告期間内にある広告の中からランダムに抽出しても良い。また、広告情報の抽出は１件の広告に限らず、同じ広告単価の数件の広告を抽出するようにしても良い。前者は連続視聴中に１つの広告のみを再生するのに適しており、後者は連続視聴中にコンテンツを１つ再生する度に広告を差替える場合に有効である。コンテンツ再生プライオリティ制御部２２０は、ステップＳ４０３で抽出した広告情報をワーキングメモリの保存領域［２］へ一時保存する。【０１０１】
続くステップＳ４０４において、コンテンツ再生プライオリティ制御部２２０は、ステップＳ４０２で抽出したコンテンツ情報と、ステップＳ４０３で抽出した広告情報を各々対応付けして、コンテンツ毎に視聴者分配値（＝広告単価×視聴者分配率）を算定する。【０１０２】
続くステップＳ４０５において、コンテンツ再生プライオリティ制御部２２０は、コンテンツ情報と広告情報の対応付けを表す情報（以下、「対応付け情報」という。）、およびステップＳ４０４で算定した視聴者分配値を、視聴者分配値の降順にワーキングメモリの保存領域［３］へ一時保存する。【０１０３】
そして、ステップＳ４０６において、コンテンツ再生プライオリティ制御部２２０は、ワーキングメモリ２２２の保存領域［３］内の先頭に位置する対応付け情報をもとに、ワーキングメモリ２２２よりコンテンツ情報、視聴者分配値および広告情報を取り出して、コンテンツ連続視聴画面情報作成部２２４に送り、処理を終了する。【０１０４】
図１３に戻って、以上により、ステップＳ３０４のコンテンツ再生プライオリティ制御処理が終了すると、次のステップＳ３０５において、コンテンツ連続視聴画面情報作成部２２４は、コンテンツ再生プライオリティ制御部２２０より受取ったコンテンツ情報、広告情報および視聴者分配値に基づいてコンテンツ、広告および視聴者分配値が所定の再生時間枠で表示されるように、コンテンツ連続視聴画面情報を作成して視聴者端末１５に送る。より具体的には、新規再生に係る場合、コンテンツ連続視聴画面情報作成部２２４は、視聴者分配値の降順に一時記憶されている情報のうち先頭の情報、すなわち視聴者分配値が（視聴者分配値をもとにしたプライオリティが最も高い）コンテンツに係る情報を用いて、コンテンツおよび広告の動画を再生する再生画面を表示させるための記述を含んでいる画面情報ファイルを作成する。【０１０５】
コンテンツ連続視聴画面情報作成部２２４が作成するこの画面情報ファイルは、基本的に視聴者端末１５にインストールされているプレイヤアプリケーションを起動させるための指示を含むが、本実施の形態においては、次のステップＳ３０６において視聴者端末１５が表示すべきコンテンツデータをコンテンツサーバ２３より正しく受信できるように、また、対応する広告の広告データを広告サーバ２５から正しく受信できるように、そのコンテンツデータおよび広告データの格納場所を表すＵＲＬをその画面情報ファイルに含めるものとする。また、これらＵＲＬに、またはＵＲＬとは別にして、データ識別用のコンテンツＩＤと広告ＩＤを組み込むものとする。さらに、コンテンツ連続視聴画面情報作成部２２４は、そのコンテンツの視聴者分配値の値がコンテンツ画像の近傍に表示されるように、その値をその画面情報ファイルに含めるものとする。【０１０６】
続く、ステップＳ３０６において、視聴者端末１５は、画面情報ファイルを受信すると、そのファイルに含まれているコンテンツＩＤ（またはコンテンツＩＤを組み込んだＵＲＬ）をもとに、コンテンツデータをコンテンツサーバ２３より受信し、広告ＩＤ（または広告ＩＤを組み込んだＵＲＬ）をもとに広告データを広告サーバ２５より受信し、コンテンツおよび広告を再生して、視聴者端末１５の表示部に表示させる。この再生動作は、第１の実施の形態におけるステップＳ１０９の動作と同様なので詳しい説明を省略する。【０１０７】
ステップＳ３０６において、新規再生が終了するとステップＳ３０４に戻り、次コンテンツ再生の要求を視聴者端末１５から管理サーバ２１のコンテンツ再生プライオリティ制御部２２０に送る。なお、ステップＳ３０６において、適宜視聴状況データを視聴履歴ＤＢ１５７に送るようにしているが、これは、既に述べた第１の実施の形態におけるステップＳ１０９における動作と同様であるので詳しい説明を省略する。【０１０８】
次に、再び図１４に示すフローチャートを参照し、次コンテンツ再生における動作を説明する。ステップＳ４０１およびステップＳ４１１の判定を経て、次コンテンツ再生要求の場合（ステップＳ４１１：Ｙｅｓ）、ステップＳ４１２に進む。【０１０９】
ステップＳ４１２において、コンテンツ再生プライオリティ制御部２２０は、ワーキングメモリ２２２の保存領域［３］内の次（２番目）に位置する対応付け情報をもとに、ワーキングメモリ２２２よりコンテンツ情報、視聴者分配値および広告情報を取り出して、コンテンツ連続視聴画面情報作成部２２４に送り、処理を終了する。【０１１０】
再び図１３に戻って、ステップＳ３０４において次コンテンツ再生のためのコンテンツ再生プライオリティ制御処理が終了すると、次のステップＳ３０５に進む。このステップにおいて、コンテンツ連続視聴画面情報の作成に用いられる情報は、視聴者分配値の値が２番目に高いコンテンツ情報と広告情報との組みと、その視聴者分配値に差替えられる。そして、ステップＳ３０６において、視聴者分配値の値が２番目に高いコンテンツと広告が視聴者端末１５により再生される。そして、２番目の再生が終了すると、再びステップＳ３０４に戻る。【０１１１】
以上のようにして、１つの再生が終了する度に、ステップＳ３０４の次コンテンツ再生のためのコンテンツ再生プライオリティ制御処理と、それに続くステップＳ３０５のコンテンツ連続視聴画面情報の作成処理が行われる。これにより、視聴者端末１５では、視聴者分配値が最も高いコンテンツと広告の組みの再生（新規再生）に続いて、視聴者分配値の値が２番目に高いもの、３番目に高いものというように、視聴者分配値の降順に広告付きのコンテンツが再生される。これは、コンテンツ視聴者から見ると、広告付きのコンテンツが、視聴者分配値をもとにするプライオリティに従い（ここでは視聴者分配値の降順に）、異なる時間枠に割り振られている番組を連続視聴している、という状態を意味する。【０１１２】
上記した第２の実施の形態では、コンテンツ再生プライオリティ制御処理（ステップＳ３０４）において、図１４に示すとおり、広告情報ＤＢに蓄積された広告情報のうち任意の広告情報を抽出することとしているが、図１５に示すようにある一定の基準に従い特定の広告情報を抽出するようにしても良い。【０１１３】
図１５は、コンテンツ再生プライオリティ制御処理の別の例を示すフローチャートである。先の図１４に示したコンテンツ再生プライオリティ制御処理例との違いは、新規再生の場合のステップＳ４０３’において広告情報ＤＢより広告単価の降順に広告情報を抽出するようにしている点と、続くステップＳ４０４’において、ステップ４０２で抽出したコンテンツ情報と、ステップＳ４０３’で抽出した広告情報を各々、視聴者分配値の降順および広告単価の降順に対応付けして、コンテンツ毎に視聴者分配値（＝広告単価×視聴者分配率）を算定する点である。【０１１４】
本例によると、最も高い視聴者分配率が設定されているコンテンツと、最も高い広告単価が付けられている広告との組みで始まって、降順にそのような対応付けの組みを作ってゆき、コンテンツ連続視聴画面視聴画面に表示させることができるので、連続視聴中にコンテンツを１つ再生する度に広告を差替える場合に有効である。【０１１５】
図１６は、図１３に示すステップＳ３０１からステップＳ３０６までの処理のうち、特にデータベースからの所定の情報の取得と画面表示に注目して描いた、第１の実施の態様についての図９と同様の概念図である。
コンテンツ情報ＤＢ２１３は、コンテンツ［ａ］、コンテンツ［ｂ］、コンテンツ［ｃ］・・・コンテンツ［ｐ］それぞれについてのコンテンツ情報を格納し、そのコンテンツ情報には、コンテンツ保有者により設定される視聴者分配率の値９０％、８０％、７０％・・・６％が含まれている。
広告情報ＤＢ２１７は、広告［Ａ］、広告［Ｂ］、広告［Ｃ］・・・広告［Ｐ］それぞれについての広告情報を格納し、その広告情報には、広告料に関する値として１露出あたりの広告単価１０円、９円、８円・・・１円が含まれている。【０１１６】
コンテンツ再生プライオリティ処理（ステップＳ３０４、図１５）により、コンテンツ［ａ］、コンテンツ［ｂ］、コンテンツ［ｃ］・・・について、視聴者分配値の値がそれぞれ９ｐ（＝１０×９０％）、７．２ｐ（＝９×８０％）、５．６ｐ（＝８×７０％）・・・と算定される。そして、算定された視聴者分配値をもとにしたプライオリティに従い、広告付きコンテンツの再生の時間枠の割り振り、すなわちコンテンツ連続視聴画面での再生順は、コンテンツ［ａ］＋広告［Ａ］、コンテンツ［ｂ］＋広告［Ｂ］、コンテンツ［ｃ］＋広告［Ｃ］・・・となる。【０１１７】
図１７は、コンテンツ連続視聴画面１５６の詳しい例を示す図であり、視聴画面の右下部には視聴者分配の値「１０ｐ」・・・を表示し、これによりコンテンツを視聴して獲得する視聴者分配値がいくらかが視聴者にわかるようにしている。また、視聴画面の下部には、コンテンツの評価（高い順からＡ，Ｂ，Ｃ，Ｄのいずれか）を入力して管理サーバ２１に送信するためのボタンが配置されている。【０１１８】
なお、図１６および図１７では、複数のコンテンツ連続視聴画面１５６が再生順に積み重なるように描かれているが、これは広告付きのコンテンツが異なる時間枠にそれぞれ表示されてゆく様子を示すためにそう描いたものであって、１つのコンテンツ連続視聴画面において広告付きコンテンツが順次切替えられて再生される態様を当然に含むものである。
また、図１６および図１７において、１つのコンテンツおよび広告の組みにおけるこれらの再生順序は、プレロール（コンテンツより先に広告する）、ポストロール（コンテンツの後に広告する）、ミドルロール（コンテンツの再生途中に広告を挿入する）、オーバーレイ（コンテンツの再生中に画面の一部分に広告を重ねて表示する）のいずれでも良い。【０１１９】
既に述べたとおり、コンテンツ共有サービスに本発明が適用されるためには、第１に広告料の一部がコンテンツ保有者の取り分として分配されること、第２に当該コンテンツ保有者の取り分の一部がさらにコンテンツ視聴者へ分配されること、の２つの要件を満たす広告料の分配処理が行われるものでなければならないが、その分配処理に必要となる具体的手法、例えば、広告主口座、コンテンツ保有者口座、およびコンテンツ視聴者口座間の分配金のやり取りや分配金とポイントの換算のアルゴリズム等は、本発明の本質的部分ではなく、また、本発明の属する技術分野あるいは広告サービスを含む電子商取引分野における既存技術をもとに当業者が適宜に設計可能であるので、詳しい説明を省略する。【０１２０】
以上、複数の実施の形態において図面を引用しつつ例示したが、本発明はこれらに限定されるものではなく、例えば、コンテンツ情報、広告情報に含める項目数および内容、広告料（広告課金）の計算方法、コンテンツ選択画面、コンテンツ視聴画面、コンテンツ連続視聴画面のレイアウト、コンテンツ選択画面内のサムネイルの数、位置と配列等の細部について、本発明の趣旨を損なうことのない範囲において適宜変更可能である。
【産業上の利用可能性】
【０１２１】
本発明は、コンテンツ保有者がインターネット等のネットワークを介してアップロードする動画、静止画、あるいは音声などのコンテンツを、コンテンツ視聴者が再生しあるいは共有することのできるコンテンツ共有サービスへの適用に好適である。
【図１】
2009028069.tif 000003
【図２】
2009028069.tif 000004
【図３】
2009028069.tif 000005
【図４】
2009028069.tif 000006
【図５】
2009028069.tif 000007
【図６】
2009028069.tif 000008
【図７】
2009028069.tif 000009
【図８】
2009028069.tif 000010
【図９】
2009028069.tif 000011
【図１０】
2009028069.tif 000012
【図１１】
2009028069.tif 000013
【図１２】
2009028069.tif 000014
【図１３】
2009028069.tif 000015
【図１４】
2009028069.tif 000016
【図１５】
2009028069.tif 000017
【図１６】
2009028069.tif 000018
【図１７】
2009028069.tif 000019
【国際調査報告】
2009028069.tif 000020
2009028069.tif 000021
2009028069.tif 000022
2009028069.tif 000023